(57)【要約】      （修正有）【課題】車いす利用者の便を図りつつ、組織変更や需要の変化に柔軟に対応すべく移動可能な間仕切り。【解決手段】前方に着座者が着座して使用する使用端縁を少なくとも１つ有する天板を備えた天板付き家具とともに用いられ、床面から起立して自立可能な間仕切Ｐにおいて、天板付き家具の天板の上方に位置する天板仕切り部２と、この天板仕切り部２から天板の使用端縁を越えて着座者側に延伸する空間仕切り部４と、この空間仕切り部４の突出端から幅方向に延伸する目隠し部５と、この間仕切Ｐを天板に接続するための接続部６とを備え、接続部６が、天板に相対移動不能に接続する接続状態と、天板との間で相対移動可能な移動状態とを選択的にとり得る構成とする。【選択図】図８
2013123476.tif 000002
【特許請求の範囲】
【請求項１】
前方に着座者が着座して使用する使用端縁を少なくとも１つ有する天板を備えた天板付き家具とともに用いられ、床面から起立して自立可能な間仕切であって、前記天板付き家具の天板の上方に位置する天板仕切り部と、この天板仕切り部から前記天板の使用端縁を越えて着座者側に延伸する空間仕切り部と、この空間仕切り部の突出端から幅方向に延伸する目隠し部と、この間仕切を天板に接続するための接続部とを備えているものであって、前記接続部が、天板に相対移動不能に接続する接続状態と、天板との間で相対移動可能な移動状態とを選択的にとり得ることを特徴とする間仕切。
【請求項２】
前記接続部が、前記天板を下方から押圧することにより該天板に支持させる構成を有するとともに、前記空間仕切り部の下面に床面に接地するアジャスタを設けている請求項１記載の間仕切。
【請求項３】
前記天板の下方に位置する挟持部を備えているとともに、前記支持部材が、前記挟持部に固定してなる固定部と、この固定部に対して昇降可能であり天板の下面に密着可能である可動部と、前記可動部を前記固定部に対して昇降させるための昇降機構とを備えている請求項２記載の間仕切。
【請求項４】
前記昇降機構を、前記固定部に設けた雌ねじ部に螺着しているとともに前記可動部の下面に接触する雄ねじ部材を利用して形成している請求項３記載の間仕切。
【請求項５】
天板の下面から床面に略達する幕板を備えた天板付き家具とともに用いられ、前記挟持部が床面から起立しているとともにその着座者に向かう側と反対側の端部が前記幕板に衝き当たるようにしている請求項３又は４記載の間仕切。
【発明の詳細な説明】
【技術分野】
【０００１】
本発明は、オフィス等において天板付き家具とともに用いられ、前記天板付き家具の天板の上方の空間を区画する間仕切に関する。
【背景技術】
【０００２】
従来より、前方に着座者が着座して使用する使用端縁を少なくとも１つ有する天板を備えた天板付き家具とともに用いられ、前記天板付き家具の天板の上方の空間を区画する間仕切が種々考えられてきている。このような間仕切の多くは、天板の上方に位置する天板仕切り部と、この天板仕切り部から天板の使用端縁を越えて着座者側に延伸する空間仕切り部とを備えている。また、このような間仕切において、天板の使用端に着座する者を外部から視認しにくくするようにすべく、この空間仕切り部の突出端から幅方向に延伸する目隠し部を設けることが考えられてきている（例えば、特許文献１を参照）。
【０００３】
しかして、車いすの利用者が天板の使用端縁に着座する場合、このような間仕切により区画された空間の開口は大きくすることが望ましい。この場合、前記目隠し部の幅寸法は小さくする必要がある。
【０００４】
その一方で、組織変更や需要の変化に柔軟に対応すべく、このような間仕切により区画される空間の大きさを容易に変更すべく移動可能なものとする場合、この間仕切を天板に対して固定するための機構は設けず前記空間仕切り部及び目隠し部側に移動を禁止する状態と移動を許可する状態とを切り替え可能な接地部を設ける構成が考えられるが、上述したように目隠し部の幅寸法を小さくした場合、このような間仕切を安定して接地することが困難になる。
【先行技術文献】
【特許文献】
【０００５】
【特許文献１】特開２００９−２６１８２１号公報
【発明の概要】
【発明が解決しようとする課題】
【０００６】
本発明は以上の点に着目し、天板の使用端縁を越えて着座者側に延伸する空間仕切り部と、この空間仕切り部の突出端から幅方向に延伸する目隠し部とを備えた間仕切において、車いす利用者の便を図りつつ、組織変更や需要の変化に柔軟に対応すべく移動可能な間仕切を実現することを目的とする。
【課題を解決するための手段】
【０００７】
すなわち本発明に係る間仕切は、前方に着座者が着座して使用する使用端縁を少なくとも１つ有する天板を備えた天板付き家具とともに用いられ、床面から起立して自立可能な間仕切であって、前記天板付き家具の天板の上方に位置する天板仕切り部と、この天板仕切り部から前記天板の使用端縁を越えて着座者側に延伸する空間仕切り部と、この空間仕切り部の突出端から幅方向に延伸する目隠し部と、この間仕切を天板に接続するための接続部とを備えているものであって、前記接続部が、天板に相対移動不能に接続する接続状態と、天板との間で相対移動可能な移動状態とを選択的にとり得ることを特徴とする。
【０００８】
このようなものであれば、接続部を接続状態とすることにより挟持部を天板に接続すれば、この間仕切を天板に支持させることができるため、目隠し部を小さなものとしてもこの間仕切を床面に安定して設置することができる。その一方で、前記接続部を移動可能状態とし、挟持部を天板に接続した状態を解除することによりこの間仕切を天板付き家具に対して移動させることができる。
【０００９】
このような間仕切を具体的に実現するための態様の一例として、前記接続部が、前記天板を下方から押圧することにより該天板に支持させる構成を有するとともに、前記空間仕切り部の下面に床面に接地するアジャスタを設けているものが挙げられる。このようなものであれば、前記接続部により天板を下方から押圧しつつ、前記アジャスタにより床面を下方に押圧することで、天板と床面とによりこの間仕切を安定して挟持させることができる。
【００１０】
このような間仕切を簡単な構成で実現するための態様の一例として、前記天板の下方に位置する挟持部を備えているとともに、前記支持部材が、前記挟持部に固定してなる固定部と、この固定部に対して昇降可能であり天板の下面に密着可能である可動部と、前記可動部を前記固定部に対して昇降させるための昇降機構とを備えているものが挙げられる。
【００１１】
特に、前記昇降機構を、前記固定部に設けた雌ねじ部に螺着しているとともに前記可動部の下面に接触する雄ねじ部材を利用して形成しているものであれば、前記可動部を前記固定部に対して昇降させる操作を容易に行うことができる。
【００１２】
さらに、天板の下面から床面に略達する幕板を備えた天板付き家具とともに用いられ、前記挟持部が床面から起立しているとともにその着座者に向かう側と反対側の端部が前記幕板に衝き当たるようにしているものであれば、天板下方の空間においてこの挟持部を挟んで反対側の空間をこの挟持部により遮蔽できるので、天板の使用端縁に着座する者のプライバシーをより有効に確保することができる。
【発明の効果】
【００１３】
本発明によれば、天板の使用端縁を越えて着座者側に延伸する空間仕切り部と、この空間仕切り部の突出端から幅方向に延伸する目隠し部とを備えた間仕切において、車いす利用者の便を図りつつ、組織変更や需要の変化に柔軟に対応すべく移動可能な間仕切を実現することができる。
【図面の簡単な説明】
【００１４】
【図１】本発明の一実施形態に係る間仕切を示す斜視図。
【図２】同実施形態に係る間仕切を示す側面図。
【図３】同実施形態に係る間仕切を示す平面図。
【図４】同実施形態に係る間仕切を示す正面図。
【図５】同実施形態に係る間仕切の要部を示す側断面図。
【図６】同実施形態に係る間仕切の接続部を示す分解斜視図。
【図７】同実施形態に係る間仕切の接続部の取付態様を示す分解斜視図。
【図８】同実施形態に係る間仕切の天板付き家具への取付態様を示す分解斜視図。
【図９】本発明の他の実施形態に係る間仕切を示す斜視図。
【図１０】同実施形態に係る間仕切を示す側面図。
【発明を実施するための形態】
【００１５】
本発明の一実施形態を図１〜図８を参照しつつ以下に述べる。
【００１６】
本実施形態に係る間仕切Ｐは、図１〜図４に示すように、長辺方向に伸びる両端縁をそれぞれ前方に着座者が着座して使用する使用端縁とする天板Ｔ１を脚構造体Ｔ２により支持してなるとともに天板Ｔ１の下面から床面に略達する幕板Ｔ３を有しカウンターとして用いられる天板付き家具Ｔとともに用いられ、床面から起立して自立可能なものである。この間仕切Ｐは、前記天板付き家具Ｔの天板Ｔ１の上方に位置する天板仕切り部２と、前記天板Ｔ１の下方に位置する挟持部３と、前記天板仕切り部２から前記天板Ｔ１の一方の使用端縁を越えて着座者側に延伸する空間仕切り部４と、この空間仕切り部４の突出端から幅方向に延伸する目隠し部５と、この間仕切Ｐを天板Ｔ１に接続するための接続部６とを備えている。
【００１７】
さらに具体的には、前記天板仕切り部２は、図１〜図３及び図５に示すように、その下端が天板付き家具Ｔの天板Ｔ１の天板面に接触又は近接した状態で鉛直に起立しているとともに、前記天板Ｔ１の一方の使用端縁から他方の使用端縁近傍まで達している。この天板仕切り部２は、前記天板Ｔ１、及びこの天板Ｔ１を内部に配置可能な切り欠き１ｘを挟んで挟持部３に対向している。
【００１８】
前記挟持部３は、図１、図２及び図５に示すように、前記天板付き家具Ｔの一方の使用端縁に対応する奥行き方向位置から前記一方の使用端縁に着座する着座者に向かう方向と反対側に延びて幕板Ｔ３に衝き当たる奥行き方向位置に達し、天板Ｔ１下方の空間を区画する挟持部本体３１と、この挟持部本体３１の下面に設けた巾木３２とを備えている。この巾木３２の下面の後端部には、アジャスタ３３を設けている。また、この挟持部３及び前記天板仕切り部２は、その基端部において前記空間仕切り部４と一体に連続している。
【００１９】
前記空間仕切り部４は、図１〜図３及び図５に示すように、前記天板付き家具Ｔの一方の使用端縁に対応する奥行き方向位置から前記天板付き家具Ｔと離間する方向すなわち着座者が着座する側に伸び、天板Ｔ１前方の空間を区画する空間仕切り部本体４１と、この空間仕切り部本体４１の下面に設けた巾木４２とを備え、この巾木４２の下面の前両端部にアジャスタ４３を設けている。前述したように、この空間仕切り部４と、前記天板仕切り部２と、前記挟持部３とは一体の板状をなしており、間仕切本体１を構成している。また、この間仕切本体１には天板付き家具Ｔの天板Ｔ１と高さ位置が一致する箇所に前記切り欠き１ｘを設けていて、この切り欠き１ｘを挟んで前記天板仕切り部２と前記挟持部３とが対向しているとともに、この切り欠き１ｘに収納した天板Ｔ１の使用端縁が前記空間仕切り部４と対向している。そして、この間仕切本体１の突出端からは、前記目隠し部５が水平方向に伸びている。
【００２０】
前記目隠し部５は、図１、図３及び図４に示すように、前記空間仕切り部４の突出端から前記天板Ｔ１に使用端に沿って伸びる板状の部材で、図示は省略するが取り付けブラケットを介して前記空間仕切り部４に相対移動不能な状態で取り付けられている。この目隠し部５も、天板Ｔ１前方の空間を区画する目隠し部本体５１と、この目隠し部本体５１の下面に設けた巾木５２とを備えている。さらに、この巾木５２の下面の前後両端部にアジャスタ５３を設けている。
【００２１】
前記接続部６は、前記天板Ｔ１を下方から押圧することにより該天板Ｔ１に支持させる構成を有する。この接続部６は、図２及び図５に示すように、前記挟持部３に固定してなる固定部６１と、この固定部６１に対して昇降可能であり天板Ｔ１の下面に密着可能である可動部６２と、前記可動部６２を前記固定部６１に対して昇降させるための昇降機構６３とを備えている。さらに詳述すると、前記固定部６１は、図５〜図８に示すように、前記挟持部３に面的に接触する起立部６１１と、この起立部６１１の上端から水平方向かつ前記挟持部３から離間する方向に伸びる水平部６１２と、この水平部６１２に溶接等の方法により固定したナットを利用して形成した雌ねじ部６１３をそれぞれ備えた１対のＬ字状部材である。また、この固定部６１は、前記起立部６１１に第１取付ねじ挿通孔６１１ｘを設けていて、一方の固定部６１の第１取付ねじ挿通孔６１１ｘに雄ねじ部材６１４を挿通させ、他方の固定部６１の１取付ねじ挿通孔６１１ｘ及び挟持部３に設けた図示しないナット取付孔を挿通させた埋設ナット６１５に螺着することにより挟持部３に取り付けるようにしている。一方、前記可動部６２は、図５〜図８に示すように、前記天板Ｔ１の下面に面的に接触可能な板状の可動部本体６２１と、この可動部本体６２１の周縁から垂下する垂下壁６２２とを備えた略直方体状の部材であり、前記垂下壁６２２に前記挟持部３の上端を収納する切り欠き６２２ｘを設けている。さらに、前記可動部６２本体の下面にはナットを溶接等の方法により固定して雌ねじ部６２３を設けている。この雌ねじ部６２３に前記固定部６１の水平部６１２に設けた第２取付ねじ挿通孔６１２ｙを通過させた雄ねじ部材６２４を螺着させることにより、この可動部６２を前記固定部６１に取り付けるようにしている。さらに、前記昇降機構６３は、図５〜図８に示すように、前記固定部６１に設けた雌ねじ部６１３に螺着した雄ねじ部材６３１を利用して形成しており、この雄ねじ部材６３１を前記可動部本体に接触させたまま螺進退させることによって前記可動部本体６２１を昇降させさらに天板Ｔ１の下面に圧着させるための機構である。そして、前記可動部本体６２１が天板Ｔ１の下面に圧着されることにより天板Ｔ１に相対移動不能に接続する接続状態をとり、前記可動部本体６２１が天板Ｔ１の下面に圧着された状態が解除されることにより天板Ｔ１との間で相対移動可能な移動可能状態をとる。
【００２２】
この間仕切Ｐを天板付き家具Ｔに取り付ける際には、図８に示すように、予め接続部６を構成する各部材を間仕切本体１に取り付けた状態で、前記間仕切本体１の切り欠き１ｘに天板Ｔ１を収納し、その状態でこの間仕切Ｐを天板Ｔ１の使用端縁と直交する方向に移動させ、挟持部３を天板付き家具Ｔの幕板Ｔ３に衝き当て、接続部６の可動部６２を天板Ｔ１の下方に位置させる。それから、昇降機構６３を作動させて前記可動部６２を天板Ｔ１の下面に圧着し、接続部６を接続状態とする。具体的には、雄ねじ部材６３１を固定部６１の雌ねじ６１３に螺着させて、雄ねじ部材６３１の先端に接触させた可動部６２を天板Ｔ１に接近させ、天板Ｔ１に衝き当たった後も引き続き雄ねじ部材６３１を固定部６１の雌ねじに螺着させることにより可動部６２を介して緊締力を天板Ｔ１の下面に作用させ、その反作用によりこの間仕切Ｐを下方に押圧させる。そして、挟持部３、空間仕切り部４及び目隠し部５に設けたアジャスタ３３、４３、５３を接地させ、突っ張り力をこの間仕切Ｐに作用させ、間仕切Ｐを床面に固定する。
【００２３】
一方、この間仕切Ｐにより天板面を区画する態様を変更すべくこの間仕切Ｐの位置を変更する際には、前記昇降機構６３の雄ねじ部材６３１を緊締方向と反対の方向に回転させて可動部６２が天板Ｔ１の下面に圧着している状態を解除することにより接続部６を移動可能状態とし、天板Ｔ１の使用端縁に沿ってこの間仕切Ｐを所望の位置に移動させ、前段で述べた間仕切Ｐの取り付け操作を行う。
【００２４】
以上に述べたように、本実施形態の構成によれば、接続部６の可動部６２を天板Ｔ１の下面に圧着して接続状態とすれば、前記アジャスタ３３、４３、５３からの突っ張り力と協働させてこの間仕切Ｐを天板Ｔ１に支持させることができるため、目隠し部５を小さなものとしてもこの間仕切Ｐを床面に安定して設置することができる。その一方で、前記接続部６を移動可能状態とし、挟持部３を天板Ｔ１に接続した状態を解除することによりこの間仕切Ｐを天板付き家具Ｔに対して移動させることができる。すなわち、車いす利用者の便を図りつつ、組織変更や需要の変化に柔軟に対応すべく移動可能な間仕切Ｐを実現することができる。
【００２５】
また、前記接続部６が、前記天板Ｔ１を下方から押圧することにより該天板Ｔ１に支持させる構成を有するとともに、前記空間仕切り部４の下面に床面に接地するアジャスタ３３、４３、５３を設けているので、この接続部６により天板Ｔ１を下方から押圧しつつ、前記アジャスタ３３、４３、５３により床面を下方に押圧することで、天板Ｔ１と床面とによりこの間仕切Ｐを安定して挟持させることができる。
【００２６】
さらに、前記天板Ｔ１の下方に位置する挟持部３を備え、前記接続部６が、前記挟持部３に固定してなる固定部６１と、この固定部６１に対して昇降可能であり天板Ｔ１の下面に密着可能である可動部６２と、前記可動部６２を前記固定部６１に対して昇降させるための昇降機構６３をと備えているので、昇降機構６３を利用して可動部６２を天板Ｔ１の下面に密着させる簡単な構成によりこのような間仕切Ｐを簡単な構成で実現することができる。
【００２７】
加えて、前記昇降機構６３を、前記固定部６１に設けた雌ねじ部６１３に螺着しているとともに前記可動部６２の下面に接触する雄ねじ部材６３１を利用して形成しているので、前記可動部６２を前記固定部６１に対して昇降させる操作を容易に行うことができる。
【００２８】
そして、前記挟持部３が床面から起立しているとともにその奥行き方向一端部が前記幕板Ｔ３に衝き当たるようにしているので、天板Ｔ１下方の空間においてこの挟持部３を挟んで反対側の空間をこの挟持部３により遮蔽できる。従って、天板Ｔ１の使用端縁に着座する者のプライバシーをより有効に確保することができる。
【００２９】
なお、本発明は以上に述べた実施形態に限らない。
【００３０】
例えば、上述した実施形態に係る挟持部を省略してもよい。このように挟持部を省略した態様の一例として、天板仕切り部の奥行き寸法を天板の奥行き寸法よりも大きくし、天板仕切り部を挟んで空間仕切り部と反対側に接続部を設け、この接続部と空間仕切り部とにより天板を前後から圧着可能に接続部を構成したものが考えられる。
【００３１】
また、接続部の可動部を固定部に対して昇降させる昇降機構として、上述した実施形態に係るもののような雄ねじ部材及び雌ねじ部を利用したものに代えて、例えばリンク機構を利用したものや、液圧機構を利用したものであってもよい。
【００３２】
加えて、幕板を備えていない天板付き家具とともに本発明に係る間仕切を使用してももちろんよい。
【００３３】
そして、図９及び図１０に示すように、間仕切本体１の一部、より具体的には天板仕切り部２の一部を、アクリル板等の透明な板体である透明部２１により構成するようにしてもよい。
【００３４】
その他、本発明の趣旨を損ねない範囲で種々に変形してよい。
【符号の説明】
【００３５】
Ｐ…間仕切
２…天板仕切り部
４…空間仕切り部
５…目隠し部
６…接続部
Ｔ…天板付き家具
Ｔ１…天板
【図１】
2013123476.tif 000003
【図２】
2013123476.tif 000004
【図３】
2013123476.tif 000005
【図４】
2013123476.tif 000006
【図５】
2013123476.tif 000007
【図６】
2013123476.tif 000008
【図７】
2013123476.tif 000009
【図８】
2013123476.tif 000010
【図９】
2013123476.tif 000011
【図１０】
2013123476.tif 000012